(57)【要約】【課題】本発明は、部品交換を容易にして最大厚みの範囲を極力小さくした表示装置用回転台を提供することを目的とする。【解決手段】本発明による表示装置用回転台は、表示装置を向き変更可能に搭載し、台部１と、台部１上に配置されたターンテーブル５と、ターンテーブル５上に設けられ、表示装置を固定する接合部材９と、ターンテーブル５上に設けられ、モータ７と、当該モータ７と係合して回転を伝達する歯車列８とを有する回動機構と、ターンテーブル５および回動機構を内包し、かつ接合部材９を露出して、台部１に対して上方から嵌合するように配置され、内側に内歯車１１ａが形成された意匠カバー１１とを備え、最終出力歯車８ａと意匠カバー１１の内歯車１１ａとが係合することによって、ターンテーブル５が回転することを特徴とする。【選択図】図２
2010243871.tif 000002
【特許請求の範囲】
【請求項１】
表示装置を向き変更可能に搭載する表示装置用回転台において、
台部と、
前記台部上に配置された回転板と、
前記回転板上に設けられ、前記表示装置を固定する立設部と、
前記回転板上に設けられ、モータと、当該モータと係合して回転を伝達する伝達歯車とを有する回動機構と、
前記回転板および前記回動機構を内包し、かつ前記立設部を露出して、前記台部に対して上方から嵌合するように配置され、内側に内歯車が形成されたカバーと、
を備え、
前記伝達歯車と前記カバーの前記内歯車とが係合することによって、前記回転板が回転することを特徴とする、表示装置用回転台。
【請求項２】
前記カバーの上面は、前記回動機構を内包する凸部を有することを特徴とする、請求項１に記載の表示装置用回転台。
【請求項３】
前記表示装置の前面が前記台部の前方方向となる状態において、
前記回動機構は、前記立設部の後方に設けられることを特徴とする、請求項１に記載の表示装置用回転台。
【請求項４】
前記表示装置の前面が前記台部の前方方向となる状態において、
前記伝達歯車と前記内歯車との係合位置は、前記表示装置の前面方向の中心軸上に設けられることを特徴とする、請求項３に記載の表示装置用回転台。
【請求項５】
前記モータは、前記立設部の内側に配置されることを特徴とする、請求項３に記載の表示装置用回転台。
【請求項６】
前記台部に同心状に配設され前記回転板を載置する複数のローラーをさらに備えることを特徴とする、請求項１に記載の表示装置用回転台。
【請求項７】
前記台部に配設され前記回転板を載置する摺動部材をさらに備えることを特徴とする、請求項１に記載の表示装置用回転台。
【発明の詳細な説明】
【技術分野】
【０００１】
本発明は、表示装置を向き変更可能に搭載する表示装置用回転台に関する。
【背景技術】
【０００２】
従来の表示装置用回転台では、台部上に回転可能なターンテーブルを配置し、ターンテーブルを内包して台部に対して上方から嵌合するように意匠カバーを設けていた。ターンテーブルの下面にはモータとギアとを備えるユニットギアが設置され、ユニットギアの駆動によりターンテーブルを回転させることによって回転台上に搭載された表示装置の向きを電動で変更させていた。このように、表示装置の向きを電動で変更させる表示装置用回転台としては、例えば特許文献１に開示されるものがある。
【先行技術文献】
【特許文献】
【０００３】
【特許文献１】特開平１１−３５５６９３号公報
【発明の概要】
【発明が解決しようとする課題】
【０００４】
従来の表示装置用回転台において、ユニットギアのモータやギアなどに不具合が生じると、意匠カバーおよびターンテーブルを外さなければ部品交換等の作業が行えないという問題があった。
【０００５】
また、表示装置用回転台の最大厚みはユニットギアの動作範囲であるが、ターンテーブルの下面にユニットギアが備えられているため、表示装置用回転台が全体的に厚くなってしまうという問題があった。
【０００６】
本発明は、これらの問題を解決するためになされたものであり、部品交換を容易にして最大厚みの範囲を極力小さくした表示装置用回転台を提供することを目的とする。
【課題を解決するための手段】
【０００７】
上記の課題を解決するために、本発明による表示装置用回転台は、表示装置を向き変更可能に搭載し、台部と、台部上に配置された回転板と、回転板上に設けられ、表示装置を固定する立設部と、回転板上に設けられ、モータと、当該モータと係合して回転を伝達する伝達歯車とを有する回動機構と、回転板および回動機構を内包し、かつ立設部を露出して、台部に対して上方から嵌合するように配置され、内側に内歯車が形成されたカバーとを備え、伝達歯車とカバーの内歯車とが係合することによって、回転板が回転することを特徴とする。
【発明の効果】
【０００８】
本発明によると、回転板上に設けられ、モータと、当該モータと係合して回転を伝達する伝達歯車とを有する回動機構と、回転板および回動機構を内包し、かつ立設部を露出して、台部に対して上方から嵌合するように配置され、内側に内歯車が形成されたカバーとを備え、伝達歯車とカバーの内歯車とが係合することによって、回転板が回転するため、回転板上に回動機構が備わっているので部品交換を容易にして最大厚みの範囲を極力小さくすることが可能となる。
【図面の簡単な説明】
【０００９】
【図１】本発明の実施形態１による表示装置用回転台の斜視図である。
【図２】本発明の実施形態１による表示装置用回転台の分解立体図である。
【図３】本発明の実施形態１による意匠カバーの斜視図である。
【図４】本発明の実施形態２による表示装置用回転台の斜視図である。
【図５】本発明の実施形態３による表示装置用回転台の斜視図である。
【図６】前提技術の表示装置用回転台の斜視図である。
【図７】前提技術の表示装置用回転台の分解立体図である。
【発明を実施するための形態】
【００１０】
本発明の実施形態について、図面を用いて以下に説明する。
【００１１】
まず初めに、本発明の前提となる技術について説明する。
【００１２】
図６は、前提技術の表示装置用回転台の斜視図である。また、図７は、前提技術の表示装置用回転台の分解立体図である。図７に示すように、台部１は、内側に内歯車１ｂを設け、表示装置の回転中心軸２上にボス１ａを形成している。台部１の溝には、金属シャフト４が挿入されたローラー３が回転中心軸２に対して同心状に配置されている。また、ローラー３上には、円盤状の板金からなるターンテーブル５が配置され、ターンテーブル５の中心穴５ａは台部１のボス１ａに嵌合している。
【００１３】
ターンテーブル５の下面には、ユニットギア６が配置されており、ユニットギア上ケース６ａおよびユニットギア下ケース６ｂ内にモータ７および歯車列８が備えられている。モータ７の回転力を歯車列８の最終出力歯車８ａと係合する台部１の内歯車１ｂに伝達することによって、ターンテーブル５が回転する。また、ターンテーブル５の上面には、表示装置と接合するための立設部として接合部材９が配置されている。さらに、意匠カバー１１が台部１に対して上方から嵌合するように設けられている。
【００１４】
上記の構造において、ユニットギア６はターンテーブル５の下面に配置されており、また、内歯車１ｂは台部１に形成されているため、ユニットギア６内のモータ７や歯車列８、あるいは内歯車１ｂに不具合が生じると、意匠カバー１１およびターンテーブル５を外さなければ部品交換などの作業ができないという問題があった。
【００１５】
また、表示装置用回転台の最大厚みは、歯車列８が回動する範囲、すなわち、最終出力歯車８ａが動作する範囲となる。前述の通り、ユニットギア６はターンテーブル５の下面に備えられているため、表示装置用回転台が全体的に厚くなってしまうという問題があった。
【００１６】
本発明は、これらの問題を解決するためのものであり、詳細を以下に説明する。
【００１７】
〈実施形態１〉
図１は、本発明の実施形態１による表示装置用回転台の斜視図である。また、図２は、本発明の実施形態１による表示装置用回転台の分解立体図である。図２に示すように、台部１は、表示装置の回転中心軸２上にボス１ａを形成している。台部１の溝には、金属シャフト４が挿入された複数のローラー３が回転中心軸２に対して同心状に配置されている。また、ローラー３上には、円盤状の板金からなるターンテーブル５（回転板）が配置され、ターンテーブル５の中心穴５ａは台部１のボス１ａに嵌合している。
【００１８】
ターンテーブル５の上面には、モータ７および歯車列８（伝達歯車）を有する回動機構が設置されている。また、ターンテーブル５の上面には、表示装置と接合して固定するために接合部材９（立設部）が配置されている。さらに、ターンテーブル５および回動機構を内包し、かつ接合部材９を露出して、台部１に対して上方から嵌合するように意匠カバー１１（カバー）が設けられている。意匠カバー１１の上面は、回動機構を内包する凸部を有している。
【００１９】
図３は、本発明の実施形態１による意匠カバーの斜視図である。図３に示すように、意匠カバー１１の内側には内歯車１１ａが形成されている。モータ７の回転力を、歯車列８の最終出力歯車８ａと係合する意匠カバー１１の内歯車１１ａに伝達することによって、ターンテーブル５が回転する。
【００２０】
また、図１および２に示すように、回動機構（モータ７および歯車列８）は、接合部材９の後方に配置されている。すなわち、表示装置の前面が台部１の前方方向となる状態において、回動機構は接合部材９の後方に設けられている。このようにすることによって、意匠カバー１１の上面は、例えば図３、４に示すように、ターンテーブル５上に備えられた回動機構の部分のみ局所的に凸部を有する形状となる。
【００２１】
以上のことから、モータ７、歯車列８、内歯車１１ａに不具合が生じた際に、意匠カバー１１を外すだけで部品交換などの作業を行うことができる。また、意匠カバー１１の上面は、ターンテーブル５上に備えられた回動機構の部分のみ局所的に凸部を有しているため、従来の表示装置用回転台よりも全体的に最大厚みを薄くすることが可能となる。
【００２２】
なお、本実施形態では台部１に複数のローラー３を同心状に配設したが、ローラー３に替えて複数の摺動部材あるいは一体の摺動部材を配設し、当該摺動部材上にターンテーブル５を配置するようにしても上記と同様の効果が得られる。
【００２３】
〈実施形態２〉
本発明の実施形態２は、表示装置の前面が台部１の前方方向となる状態において、最終出力歯車８ａの回転軸であるシャフト１０が表示装置前面方向の中心軸上に設けられていることを特徴としている。その他の構成および動作は、実施形態１と同様であるため、ここでは説明を省略する。
【００２４】
図１および図２に示すように、表示装置の前面が台部１の前方方向となる状態において、最終出力歯車８ａの回転軸であるシャフト１０を表示装置の前面方向の中心軸上に設ける、すなわち、最終出力歯車８ａと内歯車１１ａとの係合位置が表示装置の前面方向の中心軸上となるように設けることによって、最終出力歯車８ａと係合する意匠カバー１１の内歯車１１ａ（すなわち、回動機構の動く範囲）を前記中心軸に対して略左右対称に形成することができる。従って、図４に示すように、表示装置用回転台の最大厚みとなる意匠カバー１１の上面の凸部は、後方の一部のみであって左右対称に形成される。
【００２５】
以上のことから、最終出力歯車８ａのシャフト１０を表示装置の前面方向の中心軸上に設けることによって、表示装置用回転台の最大厚みの範囲を極力小さくすることが可能となる。また、意匠カバー１１の上面の凸部が左右対称に形成されるため、外観上効果的となる。
【００２６】
〈実施形態３〉
本発明の実施形態３は、モータ７が接合部材９の内側に配置されることを特徴としている。その他の構成および動作は実施形態２と同様であるため、ここでは説明を省略する。
【００２７】
図５は、本発明の実施形態３による表示装置用回転台の斜視図である。図５に示すように、歯車列８よりも厚いモータ７を立脚状に形成された接合部材９の内側に配置することによって、表示装置用回転台の最大厚みを実施形態２よりもさらに薄くすることができるとともに、最大厚みの範囲をさらに小さくすることができる。すなわち、意匠カバー１１の上面の凸部の厚みがさらに薄くなるとともに、凸部の面積がさらに小さくなる。
【００２８】
以上のことから、モータ７を接合部材９の内側に配置することによって、表示装置用回転台の最大厚みをさらに薄くすることができるとともに、最大厚みの範囲をさらに小さくすることができる。
【符号の説明】
【００２９】
１  台部、１ａ  ボス、１ｂ  内歯車、１ｃ  ストッパー、２  回転中心軸、３  ローラー、４  金属シャフト、５  ターンテーブル、６  ユニットギア、６ａ  ユニットギア上ケース、６ｂ  ユニットギア下ケース、７  モータ、８  歯車列、８ａ  最終出力歯車、９  接合部材、１０  シャフト、１１  意匠カバー、１１ａ  内歯車。
【図１】
2010243871.tif 000003
【図２】
2010243871.tif 000004
【図３】
2010243871.tif 000005
【図４】
2010243871.tif 000006
【図５】
2010243871.tif 000007
【図６】
2010243871.tif 000008
【図７】
2010243871.tif 000009